(57)【要約】【課題】従来のマスタデバイスと複数のスレーブデバイスからなるネットワークシステムにおいては、スレーブデバイスへの大電力供給はマスタデバイスで全てコントロールする方法となっており、スレーブデバイスを追加接続するなどのネットワーク構成に変更が生じたときなど、これに対応して、マスタデバイスからの大電力供給のためのシステム構成や制御に関する変更を行うことは容易ではない。【解決手段】マスタデバイスからの大電力供給において、マスタデバイス側はコマンド通信実施中のタイミング以外は大電力供給状態に設定し、スレーブデバイス側では、マスタデバイスでの大電力供給状態を検知し、そのタイミングで各スレーブデバイスがもつ大電力消費デバイス（や蓄積ユニット）が必要とする（あるいは蓄積できる）電力消費量を受け入れるように制御する。【選択図】図１
2011128835.tif 000002
【特許請求の範囲】
【請求項１】
スレーブデバイスと通信インターフェースを介して有線接続された、前記スレーブデバイスへの電力供給電源部を備えたマスタデバイスを含む通信ネットワーク装置の電力供給制御方法であって
前記マスタデバイスにおいて電力供給可能状態を設定する工程と、
前記スレーブデバイスにおいて前記設定を検知する工程と、
前記検知によって前記スレーブデバイスにおいて電力供給を受け、電力消費を実施する工程と、
を備えることを特徴とする通信ネットワーク装置の電力供給制御方法。
【請求項２】
前記通信インターフェースは、１ワイヤ（１−ｗｉｒｅ）システムに基づくバスインターフェースであることを特徴とする請求項１記載の通信ネットワーク装置の電力供給制御方法。
【請求項３】
前記設定は、前記通信インターフェースにおけるデータ通信信号電圧レベルと異なる電力供給可能状態電圧を発生することにより行い、前記検知は、前記電力供給可能状態電圧を検出することによって行うことを特徴とする請求項１または２記載の通信ネットワーク装置の電力供給制御方法。
【請求項４】
前記スレーブデバイスは、蓄電部を有することを特徴する請求項１ないし３のいずれかに記載の通信ネットワーク装置の電力供給制御方法。
【請求項５】
通信インターフェースを介して有線接続されたマスタデバイスとスレーブデバイスを含む通信ネットワーク装置であって、
前記マスタデバイスが、前記スレーブデバイスへの電力供給電源部と、前記通信インターフェースにおけるデータ通信信号電圧レベルと異なる電力供給可能状態電圧の発生部とを、
また、前記スレーブデバイスが、前記電力供給可能状態電圧の検知部と、前記検知に基づき電力供給を受ける、電力消費部と、
を備えることを特徴とする通信ネットワーク装置。
【発明の詳細な説明】
【技術分野】
【０００１】
本発明は、通信インターフェースを介して有線接続されたマスタデバイスとスレーブデバイスを含む通信ネットワーク装置における、マスタデバイスからスレーブデバイスへの電力供給制御方法およびそれを用いた通信ネットワーク装置に関する。
【背景技術】
【０００２】
例えば、半導体製造装置システムなどの複数の装置の個々の状況を監視・制御そして情報通信するためのセンシング装置などのスレーブデバイス（スレーブ装置）と、それらスレーブデバイスからのデータなどの情報を収集・解析あるいは制御指示するコンピュータなどのマスタデバイス（マスタ装置）といったネットワークのように、マスタとスレーブの関係が不変とするネットワークにおいて、しばしば、ネットワークの有線接続を介してマスタデバイスにある電源の電力を、スレーブデバイスに供給するネット構成方法が用いられる。
【０００３】
そうした方法のひとつに、ＵＳＢ（Ｕｎｉｖｅｒｓａｌ  Ｓｅｒｉａｌ  Ｂｕｓ、ユニバーサル・シリアル・バス）がある。これは、パーソナルコンピュータ（ＰＣ）などのホスト（マスタデバイス）側と端末装置（スレーブデバイス）側との通信インターフェース規格（バス規格）を規定するとともに、マスタデバイス側からスレーブデバイス側へ電源（バスパワー）供給が行える仕様となっており、例えば、５Ｖ、１００ｍＡ（あるいは５００ｍＡ）の給電を実施可能としている。
【０００４】
図９に、ＵＳＢネットワーク構成例を示す。図に示すように、マスタデバイス１０１とスレーブデバイス１０２を繋ぐケーブルは、各デバイスにおいて４接点の端子で接続される。なお本図においては簡略化のために、スレーブデバイス１０２を１台として記述したが、通常のネットワークにおいては複数存在する。４接点はそれぞれ、Ｖｂｕｓ、Ｄ＋、Ｄ−、ＧＮＤ接点と称され、ケーブル中にある各対応線に接続されている。Ｄ＋、Ｄ−接点は、通信すべきデータを差動（ｄｉｆｆｅｒｅｎｔｉａｌ）動作で伝送する信号端子用接点であり、図中の、ＵＳＢ対応通信線である通信線１０３の両デバイスにおける各端子の接点を構成する。またＶｂｕｓ接点は、マスタデバイス１０１からスレーブデバイス１０２への電源電力供給用端子で、図中Ｖｂｕｓ１０４の線の端子接点、またＧＮＤ接点は接地用端子の接点で、図中、ＧＮＤ１０５の線の端子接点である。このように、ＵＳＢにおいては、電源電力供給のための電源線である、Ｖｂｕｓ１０４を必要とする。
【０００５】
これを更に簡便化する方法として、ＵＳＢに存在する電源線を無くし、例えば、１ワイヤ（１−Ｗｉｒｅ；マキシム社商標）システムと称する、通信線から電源電力供給を行う規格を有する、マスタ・スレーブ間有線接続の通信インターフェースの提案と、それに用いる各種で半導体デバイス（１−Ｗｉｒｅデバイス）の提供がなされている（マキシム・ジャパン社）。また、そういったシステムとデバイスを用いた、センサネットワークシステムなどの提案もされている。
【０００６】
図１０に、１ワイヤシステムにおける、大電力電源供給を前提とした、マスタデバイス１０１とスレーブデバイス１０２とのネットワーク構成例を示す。図示するように、両デバイスは、共通グランド線であるＧＮＤ１０５以外は、１ワイヤ対応通信線である通信線１０６のみで接続される。スレーブデバイス１０２においては、ネットワークにおける情報の送受信を行う通信制御部１０７などを主として安定的に作動させるための電源として、Ｈｉｇｈ／Ｌｏｗを繰り返す通信用の信号線から安定電圧を取り出す、寄生電源１０８を有している。
【０００７】
しかし、スレーブデバイス中に寄生電源１０８では供給電力としては不十分な素子が搭載される場合がある。例えば、搭載素子としてＥＥＰＲＯＭを用いる場合、書き込みなどのような動作時においては、寄生電源では得られない大きな消費電力(大電力)を必要とする。
【０００８】
こうした素子（大電力消費デバイス）がスレーブデバイス１０２中にあった場合、マスタデバイス１０１側に、とくにプルアップ抵抗ＲＰＵＰ１０９の値にある程度の自由度を持たせたい場合などにおいて、図に示すように、例えばＰｃｈ  ＭＯＳＦＥＴ１１１を用いたＳＰＵ（Ｓｔｒｏｎｇ  Ｐｕｌｌ−Ｕｐ、ストロング・プル・アップ）１１２の回路を、マイクロコンピュータμＣ１１０のＩ／Ｏに接続するように導入し、大電力消費時に１ワイヤ通信線１０６を介してスレーブデバイスに大電力を供給することが行われる。
【先行技術文献】
【特許文献】
【０００９】
【特許文献１】特開２００１−１８４１４６号公報
【特許文献２】特開２００５−４８７６４号公報
【非特許文献】
【００１０】
【非特許文献１】マキシム・ジャパン社関連ウエブサイト。
【００１１】
http://japan.maxim-ic.com/products/1-wire
【発明の概要】
【発明が解決しようとする課題】
【００１２】
図１１は、上記の大電力電源供給構成の１ワイヤシステムにおいて、ひとつのマスタデバイス１１３に、複数（この場合は３台）のスレーブデバイス(１)、(２)、(３)１１４−１、１１４−２、１１４−３が１ワイヤのネットワーク通信線１１５で接続された状況を、各デバイスにおける主たる保有機能部を中心に模式的に示したものである。
【００１３】
マスタデバイス１１３には、内蔵機能として、通常備える通信制御部１１６のほかに、通信実施部１１７と電力供給部１１８を選択するスイッチ１１９を含み、この制御を供給電力制御部１２０において、スレーブデバイス１１４側への大電力電源供給の要否を、各スレーブデバイス１１４側からの情報を受けて実施している。スレーブデバイス１１４側においては、３台とも通信制御部１１６を持ち、例えばスレーブデバイス（１）１１４−１においては、通信制御部１１６のみで他の大電力消費するデバイスを有しないので、大電力電源供給を受ける必要が無いが、スレーブデバイス（２）１１４−２、およびスレーブデバイス（３）１１４−３では、通信制御部１１６の機能のほかに、それぞれ異なる（あるいは同じ）大電力消費デバイス（Ａ）、（Ｂ）１２１―１、１２１―２を有し、それぞれに大電力電源供給を受ける必要がある。
【００１４】
図１２に、上記のようなシステムにおける、マスタデバイスとスレーブデバイスとで行われる大電力消費に伴う動作フローチャートを示す。
【００１５】
まず、システム動作開始のステップ１（Ｓ１）で開始（Ｓｔａｒｔ）後、ステップ２（Ｓ２）の、マスタデバイスが、スレーブデバイスとで、デバイス識別・システム制御・タイムカウント・各種メモリ制御などの指令のためのコマンドを情報通信するコマンド通信を実行するか否かを判断するステップに移行する。ここで、実行する（Ｙｅｓ）の場合は、ステップ３（Ｓ３）に移行し、マスタデバイスとスレーブデバイスとで通信データの送受信を実施する。通信データ送受信を実施後あるいは送受信の合間に、マスタデバイスにおいて、スレーブデバイスに大電力が必要か否かの判断のステップ４（Ｓ４）に移る。
【００１６】
ステップ２（Ｓ２）において、実行しない（Ｎｏ）場合は、直接、マスタデバイスにおいて、スレーブ（デバイス）に大電力が必要か否かの判断のステップ４（Ｓ４）に移る。
【００１７】
ステップ４（Ｓ４）において、スレーブデバイス側の大電力消費素子の動作タイミングに応じてスレーブデバイスに必要消費電力を送出する必要がある（Ｙｅｓ）場合は、ステップ５（Ｓ５）に移り、ここでマスタデバイスは、大電力を必要とするスレーブデバイスに大電力を送出すべく、マスタデバイス中でＳＰＵ（ストロング・プル・アップ）を稼動させるなどにより、電力供給状態を実行する。これにより、ステップ６（Ｓ６）に移行して、スレーブ(デバイス)において大電力消費が実施される。他方、ステップ４（Ｓ４）において、マスタデバイスがスレーブデバイスに必要消費電力を送出する必要が無い（Ｎｏ）と判断した場合、ステップ７（Ｓ７）に移行し、マスタデバイスは出力インピーダンスを高インピーダンス状態にするなどにより、電力供給停止状態にして、大電力出力動作を実施しない。こうして、再びＳ２へと移行するサイクルが実施される。
【００１８】
このように、従来の大電力供給の方法は、マスタデバイス側が通信開始のタイミングとともに、大電力供給のタイミング制御を担っており、一方、電力消費量とそれぞれを受けとるタイミングは各スレーブデバイス側の起動動作によって決まる。このためマスタデバイスの電力供給能力やその供給タイミングはスレーブデバイスの消費電力を把握して設計し、制御する必要がある。
【００１９】
しかし、このようなマスタデバイス／複数スレーブデバイス・ネットワークシステムに、新たな、スレーブデバイスを追加接続する必要があったときなどのようなネットワーク構成に変更が生じた場合、マスタデバイスの電力供給構成や制御の変更が必要となる。マスタデバイスは、制御タイミングもしくは制御コマンドごとに、全てのスレーブデバイスの大電力消費デバイスに対応して、電力を供給する必要があり、とくにネットワーク構造の巨大化・複雑化が進むにつれて、各スレーブデバイス個々の消費電力の把握とそれへのマスタデバイスにおける対処がより困難になってくる。
【００２０】
そこで本発明の課題は、マスタデバイスと複数のスレーブデバイスからなる、ネットワーク構造の複雑化や変更に柔軟に対応可能な、通信ネットワーク装置の電力供給制御方法および通信ネットワーク装置を提供することにある。
【課題を解決するための手段】
【００２１】
本発明の通信ネットワーク装置の電力供給制御方法は、
スレーブデバイスと通信インターフェースを介して有線接続された、前記スレーブデバイスへの電力供給電源手段を備えたマスタデバイスとからなる通信ネットワーク装置の電力供給制御方法であって
前記マスタデバイスにおいて電力供給可能状態を設定する工程と、
前記スレーブデバイスにおいて前記設定を検知する工程と、
前記検知によって前記スレーブデバイスにおいて電力供給を受け、電力消費を実施する工程と、
を備えることを特徴とする。
【００２２】
また、本発明の通信ネットワーク装置は、
通信インターフェースを介して有線接続されたマスタデバイスとスレーブデバイスを含む通信ネットワーク装置であって、
前記マスタデバイスが、前記スレーブデバイスへの電力供給電源部と、前記通信インターフェースにおけるデータ通信信号電圧レベルと異なる電力供給可能状態電圧の発生部とを、
また、前記スレーブデバイスが、前記電力供給可能状態電圧の検知部と、前記検知に基づき電力供給を受ける、電力消費部と、
を備えることを特徴とする。
【発明の効果】
【００２３】
本発明の通信ネットワーク装置の電力供給制御方法および通信ネットワーク装置は、スレーブデバイスの追加・変更などのネットワークの変更や、ネットワーク構造の巨大化・複雑化に対しても、マスタデバイスからの各スレーブデバイスへの大電力の供給システムが柔軟かつ容易に構築できるといった特徴を有している。
【図面の簡単な説明】
【００２４】
【図１】本発明の通信ネットワーク装置の実施例の機能構成
【図２】本発明の通信ネットワーク装置の電力供給制御方法動作フロー例（１）
【図３】本発明の通信ネットワーク装置の電力供給制御方法動作フロー例（２）
【図４】本発明の通信ネットワーク装置のマスタデバイス構成例
【図５】本発明の通信ネットワーク装置のスレーブデバイス構成例（１）
【図６】本発明の通信ネットワーク装置のスレーブデバイス構成例（２）
【図７】本発明の通信ネットワーク装置の電力供給制御における信号電圧例（１）
【図８】本発明の通信ネットワーク装置の電力供給制御における信号電圧例（２）
【図９】従来の通信ネットワーク装置の構成例
【図１０】従来の通信ネットワーク装置のマスタ／スレーブデバイス構成例
【図１１】従来の通信ネットワーク装置の機能構成例
【図１２】従来の通信ネットワーク装置の電力供給制御方法動作フロー例
【発明を実施するための形態】
【００２５】
以下に、本発明の実施の形態を、添付図を参照しつつ説明する。
【００２６】
（ネットワーク構成における実施例）
図１に、本発明を用いた、ネットワーク構成例と各デバイスが有する主な機能を示す。図示したネットワークにおいて、マスタデバイス１は、この場合は３つのスレーブデバイス（１）、（２）、（３）２−１、−２、−３と、ネットワーク通信線３を介して、１ワイヤシステムで接続をしている。マスタデバイス１は、通信制御部４によってスレーブデバイスとの通信を制御する。通信実施部５とＳＰＵ（ストロング・プル・アップ）などを用いての電力供給実施部６との選択は、スイッチ７を用いて行う。ここで、図１０で示したマスタデバイス１０１内での機能と比較すると明らかのように、マスタデバイス１は供給電力制御部の機能を有しておらず、単に電力供給可能な状態となる電力供給実施部６の稼動を、コマンド通信状態が生じていない、通信実施部５が稼動していない、終了時もしくはその合間に設定することとしている。
【００２７】
ネットワーク通信線に接続したスレーブデバイス（１）２−１の例は、通信制御部４のみを有している例であって、このデバイスは大電力供給を必要とせずに機能する。スレーブデバイス（２）２−２の例は、通信制御部４の機能の他に、大電力消費デバイス（Ａ）８−１を有し、供給電力モニタ９はマスタデバイス１の電力供給部６の作動を検知し、大電力受け入れ可能状況下で消費電力制御部１０により大電力消費デバイス（Ａ）８−１に電力供給し、ここで電力消費する。つまり、マスタデバイス１において電力供給部６が作動状態であることを、スレーブデバイス（２）２−２側の供給電力モニタ９で検知し、受け入れ可能であれば消費電力制御部１０を制御して大電力消費デバイス（Ａ）８−１が電力消費可能となる、というように、スレーブデバイス側のコントロールで大電力消費を行う。
【００２８】
スレーブデバイス（３）２−３における例では、通信制御部は有していないが、同様に大電力消費デバイス（Ｂ）８−２を持ち、これがこのスレーブデバイス（３）２−３の機能の全てとしている例である。この大電力消費デバイス（Ｂ）８−２に対して、スレーブデバイス（２）２−２におけると同様に、供給電力モニタ９はマスタデバイス１の電力供給部６の作動を検知し、大電力受け入れ可能状況下で消費電力制御部１０をコントロールして大電力消費デバイス（Ｂ）８−２に電力供給し、ここで電力消費する。また、この場合では、蓄電ユニット１１を有しており、大電力受け入れ可能のタイミングで、大電力消費デバイス（Ｂ）８−２に対してのみならず、この蓄電ユニット１１へも消費電力制御部１０のコントロールのもとで電力を送り、電力を蓄電する。
【００２９】
上記スレーブデバイス（２）２−２の例では、大電力消費デバイス（Ａ）８−１において大電力消費が必要となった場合、マスタデバイス１のスイッチ７が電力供給部を稼動状態となり、ネットワーク通信線３において電力供給状態になるまで大電力消費デバイスのタスクを待機させるようなことも生じるが、スレーブデバイス（３）２−３のように、蓄電ユニット１１を設置してあると、大電力を必要としていない電力供給状態のときに蓄電ユニットに蓄電しておき、この蓄電電力を、大電力消費デバイスで電力消費時に使用することで、より効率的に大電力消費デバイスでのタスクを実行できることとなる。
【００３０】
図２、３に、図１のようなネットワークシステムにおける、マスタデバイスとスレーブデバイスとで行われる大電力消費に伴う動作フローチャートを示す。
【００３１】
システム動作開始のステップ１（Ｓ１）で開始（Ｓｔａｒｔ）後、ステップ２（Ｓ２）の、マスタデバイスが、スレーブデバイスとで、デバイス識別他の指令のためのコマンドを情報通信するコマンド通信を実行するか否かを判断するステップに移行する。ここで、実行する（Ｙｅｓ）の場合は、ステップ３（Ｓ３）に移行し、マスタデバイスとスレーブデバイスとで通信データ送受信を実施する。ステップ２（Ｓ２）において、実行しない（Ｎｏ）場合は、ステップ４（Ｓ４）に移行し、マスタデバイス１はスイッチ７を電力供給部６に切り替えてこれを作動状態にし、電力供給状態にする。
【００３２】
そして、図２のフローにおいて、ステップ３（Ｓ３）、ステップ４（Ｓ４）いずれのステップ後、ステップ５（Ｓ５）に移行し、ここで、スレーブデバイスは、通信線が電力供給状態にあるか否かを判断し、電力供給状態にある（Ｙｅｓ）の場合は、ステップ６（Ｓ６）に移行してスレーブデバイスの大電力消費デバイスにおいて大電力消費が行われ、電力供給状態にない（Ｎｏ）の場合は、電力消費無しの状態のままで、再び、Ｓ２へと移行するサイクルが実施される。
【００３３】
図１のネットワーク構成図において、スレーブデバイス（１）２−１のように、通信制御機能のみ有する場合は、図２のフローにおいて、Ｓ１→Ｓ２→Ｓ３→（Ｓ５、Ｓ６のステップが無くなり）Ｓ２に直結するのみのステップフローとなり、スレーブデバイス（２）２−２のケースでは、図２で示した全体フローが行われる。スレーブデバイス（３）２−３のケースでは、図３のフローに示すように、Ｓ１→Ｓ２（Ｓ３へ分岐なし）→Ｓ４→Ｓ５へのステップ後、Ｙｅｓの分岐からＳ６を経てステップ７（Ｓ７）に移行し、蓄電ユニットに余剰電力を貯蔵する。一方、Ｎｏの分岐からはステップ８（Ｓ８）に移行し、蓄電ユニットに貯蔵された電力を利用して大電力消費デバイスを駆動する。
【００３４】
以上の様に、本発明の方法においては、大電力供給に関し、マスタデバイスはコマンド通信実施のタイミング以外は大電力供給状態に設定し、スレーブデバイス側では、マスタデバイスでの大電力供給状態を検知し、そのタイミングで各スレーブデバイスがもつ大電力消費デバイス（や蓄積ユニット）が必要とする（あるいは蓄積できる）電力消費量を受け入れるように制御する。
【００３５】
（マスタ／スレーブデバイスにおける具体実施例）
図４にマスタデバイスを、また図５、６にスレーブデバイスを、それぞれに本発明を具体的に実現する例を示す。マスタデバイス１は１ワイヤシステムの通信線３および共通接地ＧＮＤ１２によりスレーブデバイス２と接続される。
【００３６】
大電力供給状態の設定方法として、例えば、通信に用いられる信号の電圧レベル；ＨｉｇｈレベルＶＨ、ＬｏｗレベルＶＬとは異なる設定電圧ＶＳを大電力供給時にマスタデバイス側から通信線に印加し、これをスレーブデバイス側が検知して大電力消費可能であることを認識できるようにすればよい。
【００３７】
図４に、そのための、マスタデバイスにおける具体例を示す。図において、例えば、マイクロコンピュータ（μＣ）１３のＩ／Ｏに接続したＰｃｈ  ＭＯＳＦＥＴ１４を用いたＳＰＵ（ストロング・プル・アップ）を適用し、ローインピーダンスバイパスへ接続する設定電圧ＶＳ１５を、通信に用いられる信号電圧の、Ｈｉｇｈレベル（ＶＨ＝ＶＤＤ）より高く設定する。
【００３８】
一方、図５は、図１のスレーブデバイス（２）２−２に対応した、スレーブデバイス大電力受入状態の構成例を示し、図中スレーブデバイス（２）２−２は、コマンド通信の実施・制御を行う１ワイヤの通信制御部４のほかに、大電力消費デバイス（Ａ）８−１がある。これに大電力を供給可能のように設定するために、例えば、ＦＥＴスイッチ１６などを用い、スレッショルド電圧ＶＴＨを設定し、更に、通信線３の電圧が所定のスレッショルド電圧ＶＴＨ以上の場合に、大電力消費デバイス（Ａ）８−１へ大電流ＩＤ１８が供給される構成とする。但し、信号電圧ＨｉｇｈレベルＶＨ、スレッショルド電圧ＶＴＨ、および設定電圧ＶＳの関係は、ＶＨ＜ＶＴＨ＜ＶＳとなるように電圧レギュレータ１７の出力を調整する。
【００３９】
図６は、図１のスレーブデバイス（３）２−３に対応した、スレーブデバイス大電力受入状態の構成例を示す。図中スレーブデバイス（３）２−３は、大電力消費デバイス（Ｂ）８−２と蓄電ユニット１１を有している。大電流ＩＤ１８を供給して両者にそれぞれ大電力消費と電力蓄電を可能とするために、図５と同様にＦＥＴスイッチ１６と電圧レギュレータ１７を用いて、同様に、ＶＨ＜ＶＴＨ＜ＶＳとなるように電圧設定をする。
【００４０】
図７は、上記のように行う大電力供給において、そのＯＮ／ＯＦＦのときの電圧設定を説明するための図であり、縦軸は通信線での電圧値（Ｖ）を、横軸は経過時間（Ｔ）を表す。図において、時間経過に応じて変化する電圧とそれに対応する電力供給状況は、以下のようになる。
・通信実施時；信号電圧レベルＨｉｇｈレベルＶＨまたはＬｏｗレベルＶＬ
・非通信時；信号電圧レベルＨｉｇｈレベルＶＨ（あるいはＬｏｗレベルＶＬ）で一定
・電力供給開始時；信号電圧レベルから設定電圧ＶＳへ変化
こうした通信線での電圧変化を受けてスレーブデバイスにおけＦＥＴスイッチのＯＮ／
ＯＦＦが切り替わり、電力供給時に大電力消費が可能となる。
【００４１】
このとき、電力供給設定状態でも供給電力が不足し設定電圧ＶＳの電圧降下が生じてスレッショルド電圧ＶＴＨを下回ったときは、この時点で大電力消費デバイスへの電力供給が停止(右側縦軸の消費デバイスへの電力供給ＯＮ／ＯＦＦ参照)し、通信に必要な電圧レベルの維持を最優先とする動作を行うようにする。
【００４２】
複数のスレーブデバイスでネットワークが構成されている場合、図８に示すように、個々のスレーブデバイスにおけるスレッショルド電圧ＶＴＨに差異を設け、例えばスレーブデバイス（１）、スレーブデバイス（２）、スレーブデバイス（３）の各スレッショルド電圧ＶＴＨ１、ＶＴＨ２、ＶＴＨ３において、図８に示すように、ＶＨ＜ＶＴＨ３＜ＶＴＨ２＜ＶＴＨ１＜ＶＳとすれば、マスタデバイスからの供給電力が不足状況になったとき、各スレーブデバイス中の大電力消費デバイスの停止順位が、スレーブデバイス（１）の大電力消費デバイス、スレーブデバイス（２）の大電力消費デバイス、スレーブデバイス（３）の大電力消費デバイスの順、というように設定することができる。
【００４３】
上記実施例は、一例であり、本発明の方法や装置を実現するための回路構成、システム構成はこれに限らないことは言うまでもない。
【００４４】
以上のように、本発明の通信ネットワーク装置の電力供給制御方法および通信ネットワーク装置によって、特に従来の１ワイヤシステムにおける大電力供給方法の課題であった、スレーブデバイスの追加・変更の際の、マスタデバイス側での供給制御変更の煩雑さを回避でき、スレーブデバイスの追加・変更などのネットワークの変更のみならず、ネットワーク構造の巨大化・複雑化に対しても、マスタデバイスからの各スレーブデバイスへの大電力の供給システムが柔軟かつ容易に構築可能となった。
【符号の説明】
【００４５】
１、１０１、１１３  マスタデバイス
２、１０２、１１４  スレーブデバイス
３、１０６、１１５  （ネットワーク）通信線
４、１０７、１１６  通信制御部
５、１１７  通信実施部
６、１１８  電力供給部
７、１１９  スイッチ
８、１２１  大電力消費デバイス
９、１２０  供給電力モニタ
１０  消費電力制御部
１１  蓄電ユニット
１２、１０５  接地（ＧＮＤ）
１３、１１０  マイクロコンピュータ（μＣ）
１４、１１１  Ｐｃｈ  ＭＯＳＦＥＴ
１５  設定電圧ＶＳ
１６  ＦＥＴスイッチ
１７  電圧レギュレータ
１８  大電流（ＩＤ）
１０３  ＵＳＢ通信線
１０４  Ｖｂｕｓ
１０８  寄生電源
１０９  プルアップ抵抗
１１２  ストロング・プル・アップ（ＳＰＵ）
【図１】
2011128835.tif 000003
【図２】
2011128835.tif 000004
【図３】
2011128835.tif 000005
【図４】
2011128835.tif 000006
【図５】
2011128835.tif 000007
【図６】
2011128835.tif 000008
【図７】
2011128835.tif 000009
【図８】
2011128835.tif 000010
【図９】
2011128835.tif 000011
【図１０】
2011128835.tif 000012
【図１１】
2011128835.tif 000013
【図１２】
2011128835.tif 000014